【手続補正書】
【提出日】平成28年12月20日(2016.12.20)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によるワイヤレス通信のための方法において、
データをノードに送信するための複数のアップリンク（ＵＬ）サブフレームを含む送信時間間隔（ＴＴＩ）バンドルを識別することと、
前記ＴＴＩバンドル中のＵＬサブフレームのセグメントを識別することと、
前記ＴＴＩバンドル中のＵＬサブフレームのセグメントを通してデータを前記ノードに送信するときに、送信電力を維持することとを含む方法。
【請求項２】
前記ＵＬサブフレームのセグメントは、仮定したコヒーレントな推定間隔に対応する請求項１記載の方法。
【請求項３】
前記ＵＬサブフレームのセグメントは、前記ＴＴＩバンドル中の複数のＵＬサブフレームに対応する請求項１記載の方法。
【請求項４】
前記セグメントのサイズは、準静的に構成されている請求項１記載の方法。
【請求項５】
前記ＴＴＩバンドル中の前記ＵＬサブフレームのセグメントを通して送信電力を維持することは、アップリンク電力制御コマンドを監視することをスキップすることか、または、前記アップリンク電力制御コマンドを監視するが、適用することをスキップすることのうちの少なくとも１つを含む請求項１記載の方法。
【請求項６】
前記ＴＴＩバンドル中の前記ＵＬサブフレームのセグメントを通して、タイミングまたは周波数のうちの少なくとも１つを維持することをさらに含む請求項１記載の方法。
【請求項７】
前記ＴＴＩバンドル中の前記ＵＬサブフレームのセグメントを通して、タイミングまたは周波数のうちの少なくとも１つを維持することは、同一のＴＴＩバンドルのセグメント毎のベースでＵＬ送信と周波数を更新することを含む請求項６記載の方法。
【請求項８】
セグメントにわたるＵＬタイミングと周波数の更新は、前記ノードによって発行されるタイミングアドバンス（ＴＡ）コマンドによってトリガされる請求項７記載の方法。
【請求項９】
前記ＴＡコマンドは、新たなセグメントの開始をシグナリングする請求項８記載の方法。
【請求項１０】
セグメントサイズは準静的に構成され、
前記ＵＥは、ＴＡコマンドを受信した後、次のセグメント中のＵＬタイミングと周波数を更新する請求項８記載の方法。
【請求項１１】
各セグメント内のダウンリンク（ＤＬ）とＵＬの両方に対して、時間と周波数の追跡をディセーブルすることをさらに含む請求項１記載の方法。
【請求項１２】
前記ＴＴＩバンドルの期間の間、ダウンリンクサブフレームを監視することをスキップすることをさらに含む請求項１記載の方法。
【請求項１３】
前記ノードから受信した信号に少なくとも部分的に基づいて、前記セグメントを通して送信電力を維持するか否かを決定することをさらに含む請求項１記載の方法。
【請求項１４】
ユーザ機器（ＵＥ）によるワイヤレス通信のための装置において、
データをノードに送信するための複数のアップリンク（ＵＬ）サブフレームを含む送信時間間隔（ＴＴＩ）バンドルを識別するようにと、
前記ＴＴＩバンドル中のＵＬサブフレームのセグメントを識別するようにと、
前記ＴＴＩバンドル中のＵＬサブフレームのセグメントを通してデータを前記ノードに送信するときに、送信電力を維持するように構成されている少なくとも１つのプロセッサと、
前記少なくとも１つのプロセッサに結合されているメモリとを具備する装置。
【請求項１５】
コンピュータ上で実行されるとき、請求項１ないし１３のいずれか１項記載の方法を実行するための命令を備えるコンピュータプログラム。
【手続補正２】
【補正対象書類名】明細書
【補正対象項目名】００８４
【補正方法】変更
【補正の内容】
【００８４】
［００９１］
先述のものは、本開示の実施形態に向けられているが、この基本的な範囲から逸脱することなく、開示の他のさらなる実施形態を考案してもよく、この範囲は、以下の特許請求の範囲によって決定される。
以下に、本願出願時の特許請求の範囲に記載された発明を付記する。
［１］ユーザ機器（ＵＥ）によるワイヤレス通信のための方法において、
データをノードに送信するための複数のアップリンク（ＵＬ）サブフレームを含む送信時間間隔（ＴＴＩ）バンドルを識別することと、
前記ＴＴＩバンドル中のＵＬサブフレームのセグメントを識別することと、
前記ＴＴＩバンドル中のＵＬサブフレームのセグメントを通してデータを前記ノードに送信するときに、送信電力を維持することとを含む方法。
［２］前記ＵＬサブフレームのセグメントは、仮定したコヒーレントな推定間隔に対応する［１］記載の方法。
［３］前記ＵＬサブフレームのセグメントは、前記ＴＴＩバンドル中の複数のＵＬサブフレームに対応する［１］記載の方法。
［４］前記セグメントのサイズは、準静的に構成されている［１］記載の方法。
［５］前記ＴＴＩバンドル中の前記ＵＬサブフレームのセグメントを通して送信電力を維持することは、アップリンク電力制御コマンドを監視することをスキップすることか、または、前記アップリンク電力制御コマンドを監視するが、適用することをスキップすることのうちの少なくとも１つを含む［１］記載の方法。
［６］前記ＴＴＩバンドル中の前記ＵＬサブフレームのセグメントを通して、タイミングまたは周波数のうちの少なくとも１つを維持することをさらに含む［１］記載の方法。
［７］前記ＴＴＩバンドル中の前記ＵＬサブフレームのセグメントを通して、タイミングまたは周波数のうちの少なくとも１つを維持することは、同一のＴＴＩバンドルのセグメント毎のベースでＵＬ送信と周波数を更新することを含む［６］記載の方法。
［８］セグメントにわたるＵＬタイミングと周波数の更新は、前記ノードによって発行されるタイミングアドバンス（ＴＡ）コマンドによってトリガされる［７］記載の方法。
［９］前記ＴＡコマンドは、新たなセグメントの開始をシグナリングする［８］記載の方法。
［１０］セグメントサイズは準静的に構成され、
前記ＵＥは、ＴＡコマンドを受信した後、次のセグメント中のＵＬタイミングと周波数を更新する［８］記載の方法。
［１１］各セグメント内のＤＬ（ダウンリンク）とＵＬの両方に対して、時間と周波数の追跡をディセーブルすることをさらに含む［１］記載の方法。
［１２］前記ＴＴＩバンドルの期間の間、ダウンリンクサブフレームを監視することをスキップすることをさらに含む［１］記載の方法。
［１３］前記ノードから受信した信号に少なくとも部分的に基づいて、前記セグメントを通して送信電力を維持するか否かを決定することをさらに含む［１］記載の方法。
［１４］前記ノードから受信した前記信号は、前記セグメントを通して送信電力を維持することをイネーブルするビット信号を含む［１３］記載の方法。
［１５］前記信号は、セル特有である［１３］記載の方法。
［１６］前記信号は、準静的である［１３］記載の方法。
［１７］前記バンドルのサイズに少なくとも部分的に基づいて、前記セグメントの間に送信電力を維持するか否かを決定することをさらに含む［１］記載の方法。
［１８］前記バンドルのサイズが、しきい値よりも大きい場合、送信電力を維持するように決定することをさらに含む［１７］記載の方法。
［１９］時分割デュプレックス（ＴＤＤ）ダウンリンク／アップリンクサブフレームコンフィギュレーションに基づいて、送信電力を維持するか否かを決定することをさらに含む［１７］記載の方法。
［２０］ユーザ機器（ＵＥ）によるワイヤレス通信のための方法において、
データをノードに送信するための複数のアップリンク（ＵＬ）サブフレームを含む送信時間間隔（ＴＴＩ）バンドルを識別することと、
前記ＴＴＩバンドルの期間の間、ダウンリンクサブフレームを監視することをスキップすることとを含む方法。
［２１］前記ダウンリンクサブフレームを監視することをスキップすることは、すべてのダウンリンクの信号およびチャネルの受信を無視することを含む［２０］記載の方法。
［２２］前記ダウンリンクサブフレームを監視することをスキップすることは、少なくともいくつかのダウンリンクの信号およびチャネルの受信を無視することを含む［２０］記載の方法。
［２３］前記ＴＴＩバンドル中の１つ以上のアップリンクサブフレームを前記ノードに送信することと、
前記ＴＴＩバンドルの期間が完了した後、ダウンリンク監視を実行することとをさらに含む［２０］記載の方法。
［２４］前記ＴＴＩバンドル中の、１つ以上のダウンリンクサブフレームと１つ以上の特別なサブフレームとを、仮想アップリンクサブフレームとして取り扱うことをさらに含む［２０］記載の方法。
［２５］前記ＴＴＩバンドル中の他のアップリンクサブフレームの電力に類似する電力で、前記仮想アップリンクサブフレームを送信することをさらに含む［２４］記載の方法。
［２６］前記仮想アップリンクサブフレーム中でアップリンク情報を送信することをさらに含む［２４］記載の方法。
［２７］前記仮想アップリンクサブフレーム中で前記アップリンク情報を送信することは、
同一のサブフレーム中のダウンリンクトラフィックと、前記アップリンク情報を周波数多重化することを含む［２６］記載の方法。
［２８］時分割デュプレックス中の同一のサブフレーム中の、アップリンクとダウンリンクのトラフィック間のガード帯域をイネーブルして、相互干渉を緩和させることをさらに含む［２７］記載の方法。
［２９］ユーザ機器（ＵＥ）によるワイヤレス通信のための装置において、
データをノードに送信するための複数のアップリンク（ＵＬ）サブフレームを含む送信時間間隔（ＴＴＩ）バンドルを識別するようにと、
前記ＴＴＩバンドル中のＵＬサブフレームのセグメントを識別するようにと、
前記ＴＴＩバンドル中のＵＬサブフレームのセグメントを通してデータを前記ノードに送信するときに、送信電力を維持するように構成されている少なくとも１つのプロセッサと、
前記少なくとも１つのプロセッサに結合されているメモリとを具備する装置。
［３０］ユーザ機器（ＵＥ）によるワイヤレス通信のための装置において、
データをノードに送信するための複数のアップリンク（ＵＬ）サブフレームを含む送信時間間隔（ＴＴＩ）バンドルを識別するようにと、
前記ＴＴＩバンドルの期間の間、ダウンリンクサブフレームを監視することをスキップするように構成されている少なくとも１つのプロセッサと、
前記少なくとも１つのプロセッサに結合されているメモリとを具備する装置。